(57)【要約】【課題】治具を用いることなく、簡単に短時間で安全に組み立てを行う。【解決手段】軸受部１１、２１を備える第１、第２の板片１０、２０と、第１の板片１０と第２の板片２０に設けられた軸受部１１、２１の軸穴１２、２２に貫通される軸棒４０と、第１の板片に当接する第１の端部３１と、第２の板片に当接する第２の端部３２とを有するバネ３０と、第１の板片に設けられ、バネを軸穴に一致する位置に載置するバネ載置部１６と、バネ載置部１６に載置されたバネ３０の第１の端部を位置決めする位置決部１７と、バネ載置部１６に載置されたバネの移動を抑制する移動抑制部と、生体挟持部に設けられた電極５０とを具備する。【選択図】図１
2015177846.tif 000002
【特許請求の範囲】
【請求項１】
軸受部を備える第１、第２の板片と、
前記第１の板片と前記第２の板片に設けられた軸受部の軸穴に貫通される軸棒と、
前記第１の板片に当接する第１の端部と、前記第２の板片に当接する第２の端部とを有するバネと、
前記第１の板片に設けられ、前記バネを前記軸穴に一致する位置に載置するバネ載置部と、
前記バネ載置部に載置された前記バネの第１の端部を位置決めする第１の位置決部と、
前記バネ載置部に載置された前記バネの移動を抑制する移動抑制部と、
生体挟持部に設けられた電極と
を具備するクリップ電極。
【請求項２】
移動抑制部は、前記バネの第２の端部を位置決めする第２の位置決部である請求項１に記載のクリップ電極。
【請求項３】
移動抑制部は、前記バネ載置部と対向する側から前記バネを押圧する押圧部材である請求項１または２に記載のクリップ電極。
【請求項４】
前記位置決部が凹部であり、この凹部に近接してバネの本体部と指の接触を防止するリブが突設されている請求項１乃至３のいずれか１項に記載のクリップ電極。
【発明の詳細な説明】
【技術分野】
【０００１】
本発明は、心電計などの電極に適用することができるクリップ電極に関する。
【背景技術】
【０００２】
特許文献１には、２枚の挟持板を枢支軸により結合し、この枢支軸にバネを設けて上記２枚の挟持板により生体を挟持する構成を備える心電計用クリップ電極が開示されている。この心電計用クリップ電極を組み立てる過程を、図９を参照して説明する。挟持板１０１の軸受部１０２、１０２に形成された軸穴１０３、１０３と、コイルバネ１０４の軸芯１０５とを一致させる。また、コイルバネ１０４の一端部１０４ａを挟持板１０１に当接させて、コイルバネ１０４の他端部１０４ｂを矢印Ｘの方向へ押し付けて、挟持板１０１と対の図示しない他の挟持板を図の上方から被せる。
【０００３】
挟持板１０１の軸穴１０３、１０３と対の図示しない他の挟持板の軸穴、更に、コイルバネ１０４の軸１０５とを一致させる。この状態で、軸受部の外側から軸を軸穴に挿入して組み立てが完了する。
【先行技術文献】
【特許文献】
【０００４】
【特許文献１】実公平１−１７２９０号公報
【発明の概要】
【発明が解決しようとする課題】
【０００５】
以上の通り、従来のクリップ電極は、組み立て作業に多くの労力を有する。この組み立て作業は、治具を用いることなく行うことは殆ど困難なものであった。例えば治具を用いないで作業を行っても、多くの時間を要し、バネの端部で製品に傷をつける可能性があった。
【０００６】
本発明は上記のようなクリップ電極の問題点を解決せんとしてなされたものである。本発明の目的は、治具を用いることなく、簡単に短時間で安全に組み立てを行うことが可能なクリップ電極を提供することである。
【課題を解決するための手段】
【０００７】
本発明のクリップ電極は、軸受部を備える第１、第２の板片と、前記第１の板片と前記第２の板片に設けられた軸受部の軸穴に貫通される軸棒と、前記第１の板片に当接する第１の端部と、前記第２の板片に当接する第２の端部とを有するバネと、前記第１の板片に設けられ、前記バネを前記軸穴に一致する位置に載置するバネ載置部と前記バネ載置部に載置された前記バネの第１の端部を位置決めする第１の位置決部と、前記バネ載置部に載置された前記バネの移動を抑制する移動抑制部と、生体挟持部に設けられた電極とを具備する。
【０００８】
本発明のクリップ電極では、移動抑制部は、前記バネの第２の端部を位置決めする第２の位置決部である。
【０００９】
本発明のクリップ電極では、移動抑制部は、前記バネ載置部と対向する側から前記バネを押圧する押圧部材である。
【００１０】
本発明のクリップ電極では、前記位置決部が凹部であり、この凹部に近接してバネの本体部と指の接触を防止するリブが突設されている。
【発明の効果】
【００１１】
本発明のクリップ電極によれば、バネをバネ載置部に載置することにより軸穴に一致し、第１の板片と第２の板片を組み立てる際には、バネの移動が移動抑制部により抑制されるので、特別な治具を用いることなく、簡単に短時間で安全に組み立てを行うことができる。
【図面の簡単な説明】
【００１２】
【図１】本発明のクリップ電極の実施形態の構成を示す組立斜視図。
【図２】本発明のクリップ電極の実施形態の第１の板片を示す斜視図。
【図３】本発明のクリップ電極の実施形態の第２の板片を示す斜視図。
【図４】本発明のクリップ電極の実施形態の組立工程の構成を示す斜視図。
【図５】本発明のクリップ電極の実施形態の構成を示す要部拡大斜視図。
【図６】本発明のクリップ電極の実施形態の構成を示す要部拡大斜視図。
【図７】本発明のクリップ電極の実施形態の斜視図。
【図８】本発明のクリップ電極の第２の実施形態の要部構成を示す要部斜視図。
【図９】従来のクリップ電極の要部構成を示す斜視図。
【発明を実施するための形態】
【００１３】
以下添付図面を参照して、本発明のクリップ電極の実施形態を説明する。各図において同一の構成要素には同一の符号を付して重複する説明を省略する。実施形態のクリップ電極は、図１に示すように、第１の板片１０、第２の板片２０、コイルバネ３０、軸棒４０、電極５０を備える。
【００１４】
第１の板片１０と第２の板片２０は、長尺状の樹脂などの絶縁材の板により構成される。第１の板片１０は、軸受部１１、１１を備え、軸受部１１の中央部には軸穴１２が形成されている。軸受部１１の外側基部には、円弧状の摺動ガイド部１３が設けられている。
【００１５】
軸受部１１から端部までの距離が長い側の第１の板片１０は、生体を挟持する生体挟持部１４を構成する。軸受部１１から端部までの距離が短い側の第１の板片１０は、指などにより操作を行う摘部１５を構成する。上記生体挟持部１４の端部には、電極５０の抜け落ちを防止する突起であるストッパ１９が設けられ、このストッパ１９から軸受部１１側に電極５０が設けられる。
【００１６】
また、コイルバネ３０は、本体部（胴部）から第１の端部３１と第２の端部３２とが突出して形成されている。上記コイルバネ３０の本体部が載置されるバネ載置部１６、１６が軸受部１１と軸受部１１との間の第１の板片１０に形成されている。このバネ載置部１６は、コイルバネ３０の軸芯３３を軸穴１２に一致する位置に載置する。バネ載置部１６は、コイルバネ３０の本体部に当接する多角形の外形の一部の形状や、円弧状、Ｕ字の形状とすることができる。
【００１７】
図２に示されるように、バネ載置部１６よりも摘部１５側の第１の板片１０には、バネ載置部１６に載置されたコイルバネ３０の第１の端部３１を位置決めする（第１の）位置決部１７が形成されている。位置決部１７は、凹部である矩形穴とすることができる。位置決部１７の中央部に近い側縁には、コイルバネ３０の本体部に指が接触しないように軸部分への入り込みを防止するリブ１８が突設されている。リブ１８は、一つのバネ載置部１６に結合しており、バネ載置部１６に近付くにつれて背高に形成されている。
【００１８】
図３に示されるように、第１の板片１０の軸受部１１、１１に対向する第２の板片２０の位置には、軸受部２１、２１が設けられている。軸受部２１の中央部には軸穴２２が形成されている。この軸受部２１の内側基部には、円弧状の摺動ガイド部２３が設けられている。
【００１９】
軸受部２１から端部までの距離が長い側の第２の板片２０は、生体を挟持する生体挟持部２４を構成する。軸受部２１から端部までの距離が短い側の第２の板片２０は、指などにより操作を行う摘部２５を構成する。
【００２０】
第１の板片１０の位置決部１７に対応して、第２の板片２０には、コイルバネ３０の第２の端部３２を位置決めする（第２の）位置決部２７が形成されている。位置決部２７は、凹部である矩形穴とすることができる。位置決部２７の中央部に近い側縁には、コイルバネ３０の本体部に指が接触しないように軸部分への入り込みを防止するリブ２８が突設されている。リブ２８は、位置決部２７の一辺に沿って軸受部２１に近付くにつれて背高にされ、所定位置から直角に曲がって遠方の軸受部２１側へ所定寸法だけ延在するように形成することができる。
【００２１】
以上の構成を有するクリップ電極を組み立てる工程を説明する。図４に示すように、バネ載置部１６にコイルバネ３０を載置する。このとき、コイルバネ３０の第１の端部３１を位置決部１７に収めて位置決めする。この状態のコイルバネ３０に対し、図３のように位置決部２７が下向きになるようにして第２の板片２０を持ち、位置決部２７にコイルバネ３０の第２の端部３２を収める。
【００２２】
上記のようにコイルバネ３０の第２の端部３２に当接した第２の板片２０を第１の板片１０方向へ押圧して軸受部２１が摺動ガイド部１３に収まるようにし、軸受部１１が摺動ガイド部２３に収まるようにする。このとき、位置決部２７は、軸棒４０の通貫前に、バネ載置部１６に載置されたコイルバネ３０の第２の端部３２を押圧してコイルバネ３０が適正付勢状態となる位置へ導くときに（第１の板片１０と第２の板片２０の結合のときに）、コイルバネ３０の移動を抑制する移動抑制部として機能する。適正付勢状態となる位置とは、生体挟持部１４の先端と生体挟持部２４の先端が当接した状態になったときのコイルバネ３０の位置とすることができる。
【００２３】
このとき、図５に示すように、コイルバネ３０の第１の端部３１は、その先端部３１aがやや浮き上がるが、全体として位置決部１７の壁部に当接して移動が阻止された状態となっており、特別な治具を用いることなく組み立て作業を行うことができる。また、図６に示すように、コイルバネ３０の第２の端部３２は、その先端部３２ａがやや浮き上るが、全体として位置決部２７の壁部に当接して移動が阻止された状態となっており、特別な治具を用いることなく組み立て作業を行うことができる。
【００２４】
図７に示すように、軸受部２１が摺動ガイド部１３に収まり、軸受部１１が摺動ガイド部２３に収まったときに、軸棒４０を一方の軸受部２１から他方の軸受部２１へ通貫させる。通貫するときには、コイルバネ３０はバネ載置部１６に載置され、コイルバネ３０の軸芯３３は軸穴１２（２２）に一致している。このため、容易に的確に軸棒４０を通貫させることができる。電極５０は、この作業の前に或いは作業の後に第１の板片１０に嵌合することができる。なお、軸棒４０には、Ｅリングを嵌合する溝が設けられており、軸受部２１、２１に通貫された軸棒４０はＥリングにより固定される。
【００２５】
図８は、第２の実施形態のクリップ電極に用いられる第２の板片２０の要部斜視図である。この第２の板片２０は、押圧部材８０を有している。この押圧部材８０は、バネ載置部１６と対向する側からコイルバネ３０の本体部を押圧し、バネ載置部１６に収める高さを有している。押圧部材８０は棒状部材であるが、バネ載置部１６と同様にリブ形状であっても良い。また、その大きさはクリップの機能を妨げることが無ければ特に限定されない。
【００２６】
上記押圧部材８０は、コイルバネ３０の移動を抑制する移動抑制部として機能する。従って、第２の板片２０に押圧部材８０があれば第２の端部３２を位置決めする位置決部２７はなくてもよい。なお、以上の各実施形態では、バネとしてコイルバネを用いたが、同様な作用を有するバネであれば良く、板バネなどを用いこともできる。
【符号の説明】
【００２７】
１０  第１の板片
１１、２１  軸受部
１６    バネ載置部
１７、２７  位置決部
１８、２８  リブ
２０  第２の板片
３０  コイルバネ
４０  軸棒
５０  電極
８０  押圧部材
【図１】
2015177846.tif 000003
【図２】
2015177846.tif 000004
【図３】
2015177846.tif 000005
【図４】
2015177846.tif 000006
【図５】
2015177846.tif 000007
【図６】
2015177846.tif 000008
【図７】
2015177846.tif 000009
【図８】
2015177846.tif 000010
【図９】
2015177846.tif 000011